(57)【要約】      （修正有）【課題】釣り堀内で魚が泳いでいる魚を効率よく多く釣ることができる釣具及びその取付け調整方法を提供する。【解決手段】錘部１０と浮き装着具１９の間に装着された釣針装着釣糸９の先端に釣針１１が取り付けられているので、釣り堀内の海中に張られた網に錘１０が接した状態にすることにより、その網から所定の上部の魚が多く泳いている領域に釣針１１を配することができる。これにより、釣り堀内の魚をより効率良く多く釣ることができる。【選択図】図２
2019017295.tif 000002
【特許請求の範囲】
【請求項１】
海中に張られた網上に魚が放流された釣り堀で使用される釣り具であって、
錘装着釣糸の先端に取り付けられた錘部と、
前記錘装着釣糸後部に配された浮き装着釣糸に沿って移動可能に装着された浮き装着具と、
該浮き装着具に取り付けられる浮きと、
前記浮き装着釣糸の前記浮き装着具の後方に取り付けられ、前記浮き装着具の移動範囲を規制する浮き止め具と、
前記錘部と前記浮き装着具の間に装着された釣針装着釣糸の先端に取り付けられた釣針と、を有し、
該釣針は、釣り堀内の海中に張られた網に前記錘部が接した状態にすることにより、該網から所定の上部に配されることを特徴とする釣り具。
【請求項２】
前記錘部は、釣り堀内の海中に張られた網の網目より大きく構成されていることを特徴とする請求項１記載の釣り具。
【請求項３】
前記錘部は、
網の網目より大きい中空外枠形状で形成された枠体と、
該枠体の内面から他の内面に直線棒状に配された棒状部と、を有し、
前記棒状部は、異なる重さの錘を着脱可能に取り付けることができる請求項２記載の釣り具。
【請求項４】
前記錘部を海中に投入し、該錘部を海中に張られた網に接しさせて、網から海面までの深さを調査する海中網深さ調査工程と、
該海中網深さ調査工程により調査された海面から網までの深さに相当する前記錘部から前記浮き装着釣糸の長さの該浮き装着釣糸の略位置に前記浮き止め具を取り付ける浮止具装着工程と、
前記浮き装着釣糸の先方方向で、前記錘部と前記浮き装着具の間の位置に前記釣針装着釣糸を取り付ける釣針装着釣糸装着工程と、を有し、
該釣針装着釣糸装着工程は、釣ることを予定している魚が多く泳いでいると推定できる網上部の領域に前記釣針が位置する長さの前記釣針装着釣糸を取り付けることを特徴とする請求項３記載の釣り具の取付調整方法。
【請求項５】
前記錘部の棒状部に錘を取り付け、また該錘部の棒状部の錘を取り外すことにより、錘部の重さを変更させる錘着脱工程を、さらに有する請求項４記載の釣り具の取付調整方法。
【発明の詳細な説明】
【技術分野】
【０００１】
本発明は、海中に張られた網上に魚が放流された釣り堀で使用される釣り具およびその取付調整方法に関するものである。
【背景技術】
【０００２】
従来より、海中で泳いでいる魚を釣るための各種の釣り具が知られている。
【０００３】
この種の釣り具として、図７に示すように、道糸１１０の先端に固着された錘１０１と、道糸１１０に移動自在に係止された浮き１０４と、道糸１１０に道糸軸線方向に調節可能に固定されて浮き１０４を移動自在に係止する浮き止め具１０６と、道糸１１０に道糸軸線方向に調節可能に固定され枝ハリス１０８を止める枝ハリス止め体１０７と、枝ハリス１０８の先端には生餌１０８ｄが取り付けられる係止具１０８ｃを有するというものがあった。  
【先行技術文献】
【特許文献】
【０００４】
【特許文献１】特開２０１３−１７６３４６号公報
【発明の概要】
【発明が解決しようとする課題】
【０００５】
海上の釣り堀には、海中に張られた網上にマダイ、シマアジ、カンパチ、ヒラマサ、ブリ、ワラサ、イシダイ、イシガキダイ、クエ、ハタマス、ヒラメ、ソイ、ツバス、イサギなど季節により異なる魚が放流されており、これらの魚が泳いでいる釣り堀内の網からの深さはある程度決まっている。すなわち、魚の種類により異なるが、これらの魚は釣り堀の海中に張られた網からある程度決まった深さの領域を泳いでいる。しかしながら、従来の釣り具では、釣針がこれらの魚が釣り堀内で泳いでいる領域に必ずしも配されておらず、これらの魚を効率良く多く釣ることができなかった。
【０００６】
本発明は上記問題点に鑑みてなされたもので、釣り堀の海中に張られた網上で多くの魚が泳いでいる領域に釣針を配し、釣り堀内の魚をより効率良く多く釣ることができる釣り具およびその取付調整方法を提供することを目的とする。
【課題を解決するための手段】
【０００７】
上記課題を解決し上記目的を達成するために、本発明のうち第１の態様に係るものは、海中に張られた網上に魚が放流された釣り堀で使用される釣り具であって、錘装着釣糸の先端に取り付けられた錘部と、錘装着釣糸後部に配された浮き装着釣糸に沿って移動可能に装着された浮き装着具と、浮き装着具に取り付けられる浮きと、浮き装着釣糸の浮き装着具の後方に取り付けられ、浮き装着具の移動範囲を規制する浮き止め具と、錘部と浮き装着具の間に装着された釣針装着釣糸の先端に取り付けられた釣針と、を有し、釣針は、釣り堀内の海中に張られた網に錘部が接した状態にすることにより、網から所定の上部に配されることを特徴とするものである。
【０００８】
本発明によれば、錘部と浮き装着具の間に装着された釣針装着釣糸の先端に釣針が取り付けられているので、釣り堀の海中に張られた網に錘部が接した状態にすることにより、その網から所定の上部の魚が多く泳いている領域に釣針を容易に配することができる。これにより、釣り堀内の網から所定の上部の魚が多く泳いている領域に釣針を配することにより、釣り堀内の魚をより効率良く多く釣ることができる。
【０００９】
本発明のうち第２の態様に係るものは、第１の態様に係る釣り具であって、錘部は、釣り堀内の海中に張られた網の網目より大きく構成されていることを特徴とするものである。
【００１０】
本発明によれば、錘部は釣り堀内の海中に張られた網の網目より大きく構成されているので、錘部が網の網目に入り込むということがなく、錘部が網に絡むことを防止することができる。
【００１１】
本発明のうち第３の態様に係るものは、第２の態様に係る釣り具であって、錘部は、網の網目より大きい中空外枠形状で形成された枠体と、枠体の内面から他の内面に直線棒状に配された棒状部と、を有し、棒状部は、異なる重さの錘を着脱可能に取り付けることができるものである。
【００１２】
本発明によれば、枠体内の棒状部に異なる重さの錘を着脱可能に取り付けることができるので、釣針に掛かった魚を上げるのに負担にならず、錘部が波などで移動しない程度の錘を錘部の棒状部に取付けることにより、魚が多く泳いでいると推定できる網上部の領域から釣針が移動することを防止することができるとともに、釣り堀内の魚を効率良く釣ることができる。
【００１３】
本発明のうち第４の態様に係るものは、第３の態様に係る釣り具の取付調整方法であって、錘部を海中に投入し、錘部を海中に張られた網に接しさせて、網から海面までの深さを調査する海中網深さ調査工程と、海中網深さ調査工程により調査された海面から網までの深さに相当する錘部から浮き装着釣糸の長さの浮き装着釣糸の略位置に浮き止め具を取り付ける浮止具装着工程と、浮き装着釣糸の先方方向で、錘部と浮き装着具の間の位置に釣針装着釣糸を取り付ける釣針装着釣糸装着工程と、を有し、釣針装着釣糸装着工程は、釣ることを予定している魚が多く泳いでいると推定できる網上部の領域に釣針が位置する長さの釣針装着釣糸を取り付けることを特徴とするものである。
【００１４】
本発明によれば、釣針装着釣糸装着工程により釣ることを予定している魚が多く泳いでいると推定できる網上部の領域に釣針が位置する長さの釣針装着釣糸が取り付けられるので、釣り堀内の魚をより効率良く多く釣ることができる。
【００１５】
本発明のうち第５の態様に係るものは、第４の態様に係る釣り具の取付調整方法であって、錘部の棒状部に錘を取り付け、また錘部の棒状部の錘を取り外すことにより、錘部の重さを変更させる錘着脱工程を、さらに有するものである。
【００１６】
本発明によれば、釣針に掛かった魚を上げるのに負担にならず、錘部が波などで移動しない程度の錘を錘部の棒状部に取付けることにより、魚が多く泳いでいると推定できる網上部の領域から釣針が移動することを防止することができるとともに、釣り堀内の魚を効率良く釣ることができる。
【発明の効果】
【００１７】
本発明の釣り具によれば、釣り堀の海中に張られた網上で多くの魚が泳いでいる領域に釣針を配し、釣り堀内の魚をより効率良く多く釣ることができる。
【図面の簡単な説明】
【００１８】
【図１】本発明の一実施形態における釣り具を用いて釣りを行なう釣り堀を示す図である。
【図２】同釣り具の全体構成を示す図である。
【図３】同釣り具の錘部から浮き止め具付近までの部分を示す図である。
【図４】同釣り具の分解図を示す図である
【図５】同釣り具の錘部と釣り堀内の海中に張られた網の網目の関係を示す図である。
【図６】同釣り具の取付調整方法を示すフローチャートである。
【図７】従来の釣り具を示す図である。
【発明を実施するための形態】
【００１９】
以下、本発明の釣り具の一実施形態について図面を参照にしながら説明する。図１は、本発明の一実施形態における釣り具を用いて釣りを行なう釣り堀を示す図である。
【００２０】
図１に示すように、釣り堀１は、海上に四角枠状でいかだ形状をした水上構造物２が設けられ、その四角枠形状の水上構造物２の枠内には網３が張られている。そして、海中に張られた網３上には、マダイ、シマアジ、カンパチ、ヒラマサ、ブリ、ワラサ、イシダイ、イシガキダイ、クエ、ハタマス、ヒラメ、ソイ、ツバス、イサギなどの季節により異なる魚が放流されている。このように構成された釣り堀１で、釣り人４は、後述する釣り具５が取り付けられた釣竿６を用いて、水上構造物２から網３内に放流された魚を釣ることができる。
【００２１】
次に、図２および図３を用いて、釣り具５について説明する。ここで、図２は本発明の一実施形態における釣り具の全体構成を示す図であり、図３は同釣り具の錘部から浮き止め具付近までの部分を示す図である。
【００２２】
図２に示すように、釣り具５は、釣竿６と、錘装着釣糸７と、浮き装着釣糸８と、釣針装着釣糸９と、錘部１０と、釣針１１と、浮き１２などを有している。ここで、錘装着釣糸７と浮き装着釣糸８は道糸に構成され、釣針装着釣糸９はハリスに構成されている。
【００２３】
釣竿６にはリール１３が着脱自在に取り付けられ、そのリール１３に巻かれた釣糸２８はリール１３を回転させることにより釣竿６の竿先ガイド１４から釣竿６先方に出される。そして、釣糸２８が釣竿６先方に出されると、道糸（錘装着釣糸７）の先端に取り付けられた錘部１０から釣り堀１の海中内に投入される。
【００２４】
錘部１０は、中空外枠形状で形成された枠体１５と、枠体１５の内面から他の内面に直線棒状に配された棒状部１６と、棒状部１６に着脱自在に取り付けられた錘１７とから構成されている（図３参照）。この錘部１０は、鉛などの金属から形成され、錘サルカン１８により道糸（錘装着釣糸７）の先端に取り付けられている。なお、本実施形態では、錘部１０を枠体１５と棒状部１６と錘１７から構成させたが、これに限らず、他の構成からなるものであってもよい。
【００２５】
浮き１２は、道糸（浮き装着釣糸８）の途中に取り付けられている。具体的には、浮き１２は浮きサルカン２９を介し浮き装着具１９に係止させて道糸（浮き装着釣糸８）に取り付けられる（図３参照）。ここで、浮き装着具１９は球形状で道糸（浮き装着釣糸８）が挿通される道糸挿入孔２０が形成されている。そして、道糸（浮き装着釣糸８）に挿入された浮き装着具１９は、道糸（浮き装着釣糸８）に沿って移動可能に移動することができる。また、浮き装着具１９と浮き装着糸サルカン２１の間にはゴム管２２が道糸（浮き装着釣糸８）に挿通され、道糸（浮き装着釣糸８）の浮き装着具１９の後方には浮き止め具２３が設けられている。このゴム管２２は浮き装着具１９が浮き装着糸サルカン２１に衝突する衝撃力を和らげるものであり、浮き止め具２３は道糸（浮き装着釣糸８）に結んで形成されたもので、浮き装着具１９の移動範囲を規制するものである。
【００２６】
浮き装着釣糸８の先端部には浮き装着糸サルカン２１が設けられ、その浮き装着糸サルカン２１に錘装着釣糸７の後端部の錘装着糸サルカン２４がサルカンクリップ２７を介して結合ことにより浮き装着釣糸８が錘装着釣糸７に連結している。本実施形態では、浮き装着糸サルカン２１を浮き装着釣糸８の一部の構成とし、錘装着糸サルカン２４を錘装着釣糸７の一部の構成として説明するが、これには限らない。また、釣針装着釣糸９の後端部には釣針装着糸サルカン25が設けられ、この釣針装着糸サルカン25が錘装着糸サルカン２４に勘合することにより釣針装着釣糸９が道糸に装着されている（図３参照）。
【００２７】
釣針装着釣糸９は、図３に示すように、道糸（錘装着釣糸後部７）と分岐して取り付けられている。この釣針装着釣糸９の長さＬ２は、錘装着釣糸７（道糸）の長さＬ１の略１／２になるように形成されている（図２参照）。なお、本実施形態では、釣針装着釣糸９の長さＬ２を錘装着釣糸７（道糸）の長さＬ１の略１／２になるように形成させたが、これに限らず、釣針装着釣糸９の長さを錘装着釣糸７（道糸）の長さの略１／３〜略２／３（好ましくは略１／３〜略１／２）になるようにしてもよい。このような長さにすることにより、釣り堀１内の海中に張られた網３に錘部１０が接した状態で錘装着釣糸７（道糸）に弛みがあっても、釣針装着釣糸９先端の釣針１１が網３に接して絡むことが生じ難くなるとともに、釣り堀１内の網３から所定の上部の魚が多く泳いている領域に釣針１１を配することも容易に行うことができる。ここで、釣針１１は、錘部１０と浮き装着具１９の間に装着されたハリス（釣針装着釣糸９）の先端に取り付けられている。
【００２８】
次に、本実施形態における釣り具５の作成方法について図４を参照にしながら説明する。ここで、図４は本発明の一実施形態における釣り具の分解図を示す図である。
【００２９】
釣竿６のリール１３から伸びた釣糸２８に釣糸サルカン２６を介し浮き装着釣糸８を接続させる。ここで、浮き装着釣糸８には、上述したように、浮き装着具１９およびゴム管２２が挿通され、浮き装着具１９には浮き１２を係止させている。また、浮き装着釣糸８の先端には浮き装着糸サルカン２１が取り付けられている。なお、本実施形態では、浮き装着具１９に浮き１２を係止させた状態で説明するが、これに限らず、浮き１２はその後に浮き装着具１９に係止させるようにしてもよい。また、浮き止め具２３は、このタイミングでは浮き装着釣糸８に取り付けられておらず、後述するように、海中内に道糸（錘装着釣糸７）先端の錘部１０を投入し、海面から網３までの深さを調査してから取り付けられる。
【００３０】
そして、浮き装着釣糸８の先端に取り付けられた浮き装着糸サルカン２１と錘装着釣糸７の後端に取り付けられた錘装着糸サルカン２４がサルカンクリップ２７を介して接続される。具体的には、サルカンクリップ２７の先方のピンを開放させて錘装着糸サルカン２４と勘合させ、またサルカンクリップ２７の後方のピンを開放させて浮き装着糸サルカン２１と勘合させることにより、浮き装着釣糸８と錘装着釣糸７とが接合される。また、もともと釣針装着糸サルカン２５は錘装着糸サルカン２４と勘合して取り付けられているので、この状態で浮き装着糸サルカン２１は錘装着糸サルカン２４に取り付けられる。ここで、錘装着釣糸７には、上述したように、錘サルカン１８を介して錘部１０が取り付けられている。
【００３１】
そして、釣針装着釣糸９を錘装着糸サルカン２４に勘合して取り付けられている釣針装着糸サルカン２５に接続させる。具体的には、釣針装着釣糸９を釣針装着糸サルカン２５に結び付けることにより、釣針装着釣糸９が釣針装着糸サルカン２５に接続される。ここで、釣針装着釣糸９には、上述したように、釣針１１が取り付けられている。以上説明したように、釣り具５が釣竿６のリール１３から伸びた釣糸２８に取り付けられる。
【００３２】
次に、釣り具５の錘部１０と釣り堀１内の海中に張られた網３の網目の関係について、図５を参照にしながら説明する。ここで、図５は、本発明の一実施形態における釣り具の錘部と釣り堀内の海中に張られた網の網目の関係を示す図である。
【００３３】
上述したように、釣り堀１の水上構造物２内の海中には網３が張られている。道糸（錘装着釣糸７）先端に取り付けられている錘部１０は、この釣り堀１内の海中に張られた網３の網目より大きく構成されている。具体的には、錘部１０の中空外枠形状の枠体１５の外縁（長さＷ１）が海中に張られた網３の網目（長さＷ２）より大きく構成されている。このように、錘部１０が釣り堀１内の海中に張られた網３の網目より大きく構成されているので、錘部１０が網３の網目に入り込むということがなく、錘部１０が網３に絡むことを防止することができる。
【００３４】
次に、釣り具５の取付調整方法について図６を参照にしながら説明する。ここで、図６は、本発明の一実施形態における釣り具の取付調整方法を示すフローチャートである。
【００３５】
まずＳ１において、海中網深さ調査工程が実施される。この海中網深さ調査工程は、錘部１０を海中に投入し、その錘部１０を海中に張られた網３に接しさせて、網３から海面までの深さを調査する工程である。具体的には、釣竿６に装着されたリール１３を回転させて、リール１３に巻かれた釣糸２８を釣竿６の竿先ガイド１４から釣竿６先方に出させることにより、釣り堀１の海中に道糸（錘装着釣糸７）先端の錘部１０を投入し、釣竿６の先端を上下させながら錘部１０を海中に張られた網３に接しさせて、海面から網３までの深さを調査する。そして、Ｓ２に進む。ここで、「錘部１０を海中に張られた網３に接しさせて」というのは、錘装着釣糸７を極度に張ることなくある程度緩めて錘部１０が横たわり海中に張られた網３に自重により載置された状態のことをいうが、これに限らず、錘部１０を海中に張られた網３に一部接する場合などであってもよい。
【００３６】
Ｓ２において、浮止具装着工程が実施される。この浮止具装着工程は海中網深さ調査工程により調査された海面から網３までの深さに相当する錘部１０から浮き装着釣糸８の長さの浮き装着釣糸８の略位置に浮き止め具２３を取り付ける工程である。ここで、この浮き装着釣糸８に巻き付けられる浮き止め具２３の位置は、道糸（錘装着釣糸７）先端の錘部１０が釣り堀１の海中に張られた網３に接した状態で道糸（錘装着釣糸７および浮き装着釣糸８）がある程度弛まず、その浮き止め具２３の位置に浮き装着具１９が移動したときに浮き１２の先端部が釣り人４から視認できる位置である。なお、本実施形態では、浮き装着釣糸８の浮き止め具２３の位置として、道糸（錘装着釣糸７）先端の錘部１０が釣り堀１の網３に接した状態で道糸がある程度弛まず、その浮き止め具２３の位置に浮き装着具１９が移動したときに浮き１２の先端部が釣り人４から視認できる位置としたが、これに限らず、その位置から上部１０センチまでの範囲（好ましくは、その位置から上部５センチまでの範囲）の位置の浮き装着釣糸８に浮き止め具２３を取り付けるようにしてもよい。このような位置に浮き止め具２３を取り付けるようにしても、釣竿６の先端を上部に上げることにより、道糸（錘装着釣糸７および浮き装着釣糸８）がある程度弛まない状態にすることができる。ここで、「海面から網３までの深さに相当する錘部１０から浮き装着釣糸８の長さの浮き装着釣糸８の略位置」とは、道糸先端の錘部１０が釣り堀１の網３に自重により横たわり接した状態で、道糸がある程度弛まず、その浮き止め具２３の位置に浮き装着具１９が移動したときに浮き１２の先端部が釣り人４から視認できる位置から上部１０センチまでの範囲の位置のことである。そして、Ｓ３に進む。
【００３７】
Ｓ３において、錘装着釣糸７の先端に取り付けられた錘部１０の錘１７の重さを変更する必要があるか判断され、錘部１０の錘１７の重さを変更する必要がある場合はＳ４に進み、錘部１０の錘１７の重さを変更する必要がない場合はＳ５に進む。
【００３８】
Ｓ４において、錘着脱工程が実施される。この錘着脱工程は、錘部１０の棒状部１６に錘１７を取り付け、また錘部１０の棒状部１６の錘１７を取り外すことにより、錘部１７の重さを変更させる工程である。この錘部１０の錘１７の重さを変更する場合でも、枠体１５内の棒状部１６に異なる重さの錘１７を着脱可能に取り付けることができるので、釣針１１に掛かった魚を上げるのに負担にならず、錘部１０が波などで移動しない程度の錘１７を錘部１７の棒状部１６に取付けることができる。そして、Ｓ４に進む。
【００３９】
Ｓ５において、釣針装着釣糸装着工程が実施される。釣針装着釣糸装着工程は、浮き装着釣糸８の先方方向で、錘部１０と浮き装着具８の間の位置に釣針装着釣糸９を取り付ける工程である。具体的には、錘装着糸サルカン２４と勘合して取り付けられている釣針装着糸サルカン２５に釣針装着釣糸９を結んで取り付けられる。なお、本実施形態では、釣針装着釣糸装着工程は海中網深さ調査工程実施後に実施させるようにしたが、これに限らず、釣針装着釣糸装着工程は海中網深さ調査工程実施前に実施させるようにしてもよい。また、海中網深さ調査工程実施前に釣針装着釣糸装着工程が実施された場合でも、異なる長さの釣針装着釣糸８に交換する必要があるときは釣針装着釣糸８を取り外して再び釣針装着釣糸装着工程が実施される。このように、釣針装着釣糸装着工程では、釣ることを予定している魚が多く泳いでいると推定できる網３上部の領域に釣針１１が位置する長さの釣針装着釣糸９が取り付けられる。これにより、釣り具５の取付調整が行われ、釣りを行う準備が完了する。
【００４０】
次に、上記のように取付調整された釣り具５を用いて釣りを行う方法について説明する。釣りを開始する際には、ハリス（釣針装着釣糸９）先端の釣針１１に餌となる小魚（たとえば、いわし、さば、あじなど）を取り付け、小魚が取り付けられた釣針１１を錘部１０とともに海中に投入する。すなわち、泳がせ釣りにより行う。このように、道糸（錘装着釣糸７）の先端に取り付けられた錘部１０とハリス（釣針装着釣糸９）の先端に取り付けられた小魚が取り付けられた釣針１１が海中内に投入されると、道糸（錘装着釣糸７）の先端に取り付けられた錘部１０が釣り堀１の水上構造物２内の網３まで沈み込み、浮き１２が取り付けられた浮き装着具１９は浮き装着釣糸８に沿って浮き止め具２３方向に上昇する。このように、錘部１０は網３まで沈み込むが、錘部１０は釣り堀１の海中に張られた網３の網目より大きく構成されているので、錘部１０が網３の網目に入り込むということがなく、錘部１０が網３に絡むことを防止することができる。
【００４１】
道糸（錘装着釣糸７）の先端に取り付けられた錘部１０が釣り堀１の水上構造物２内に張られている網３に接し、浮き１２が取り付けられた浮き装着具１９が浮き止め具２３方向に移動することにより、道糸（錘装着釣糸７および浮き装着釣糸８）は弛まない状態にすることができる。このように、道糸（錘装着釣糸７）の先端に取り付けられた錘部１０が網３に接した状態で道糸（錘装着釣糸７および浮き装着釣糸８）が弛まないようにすることにより、ハリス（釣針装着釣糸９）の先端に取り付けられた釣針１１（小魚）を網３から所定の上部の魚が多く泳いている領域に配することができる。このように釣り堀１に張られた網３内で多くの魚が泳いでいる領域に釣針１１（小魚）を配することにより魚をより効率良く多く釣ることができる。
【００４２】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００４３】
１      釣り堀
２      水上構造物
３      網
４      釣り人
５      釣り具
６      釣竿
７      錘装着釣糸
８      浮き装着釣糸
９      釣針装着釣糸
１０    錘部
１１    釣針
１２    浮き
１３    リール
１４    竿先ガイド
１５    枠体
１６    棒状部
１７    錘
１８    錘サルカン
１９    浮き装着具
２０    道糸挿入孔
２１    浮き装着糸サルカン
２２    ゴム管
２３    浮き止め具
２４    錘装着糸サルカン
２５    釣針装着釣糸サルカン
２６    釣糸サルカン
２７    サルカンクリップ
２８    釣糸
２９    浮きサルカン
【図１】
2019017295.tif 000003
【図２】
2019017295.tif 000004
【図３】
2019017295.tif 000005
【図４】
2019017295.tif 000006
【図５】
2019017295.tif 000007
【図６】
2019017295.tif 000008
【図７】
2019017295.tif 000009